(57)【特許請求の範囲】
【請求項１】
電線を導入する導入筒部、及び前記電線を導出する導出筒部を少なくとも有し、前記電線をクランプする引留クランプを覆う電線用クランプカバーであって、
屈曲自在なヒンジ部を一端部側に有し、他端部側を開閉自在に構成した一対の絶縁ケースを備え、
これらの前記絶縁ケースは、所定の厚さを設けて前記ヒンジ部と反対側に突出し、対向面が互いに当接できる鍔片を有し、
一方の前記鍔片は、
他方の前記鍔片に向けて進出すると先端部が膨張すると共に、他方の前記鍔片から後退すると先端部が収縮するラッチ手段と、
前記ラッチ手段の軸方向に向かって略直交する方向に進退自在に保持された一対のスライド部材と、を有し、
他方の前記鍔片は、前記ラッチ手段の先端部が出入り自在に開口され、当該ラッチ手段の先端部が膨張した状態でラッチ手段と係合する貫通穴を有し、
一対の開閉する把持腕を先端部に有する絶縁操作棒を用いて、一対の前記スライド部材が互いに近づく方向に移動させると、前記ラッチ手段を後退させて前記貫通穴との係合を解除させ、
前記ラッチ手段は、
一方の前記鍔片の中央部に開口した凹部に回転自在に保持されると共に、一方の前記鍔片に対して軸方向に進退自在に配置されたプランジャーと、
前記凹部の内部に鍔部が保持される共に、前記プランジャーの軸部と嵌合する嵌合穴を有し、プランジャーを前記鍔部に向かって進出すると、胴部の外周が拡径するすり割り付きのグロメットと、を含み、
前記プランジャーは、その頭部に形成され、前記軸部に向かって縮径した円錐台状のノブを有し、
前記プランジャーを前記鍔部に向かって進出すると、一対の前記スライド部材が離反する方向に移動し、
一対の開閉する把持腕を先端部に有する絶縁操作棒を用いて、一対の前記スライド部材が互いに近づく方向に移動すると、前記プランジャーを前記鍔部から移動させて、前記貫通穴との係合を解除可能に前記グロメットの胴部を縮径させる、電線用クランプカバー。
【請求項２】
前記グロメットは、前記鍔部と前記胴部の間の首部が前記凹部の底部に遊嵌自在に保持されている請求項１記載の電線用クランプカバー。
【請求項３】
前記スライド部材は、一方の前記鍔片からの脱落を防止するランスを先端部側に有する請求項１又は２記載の電線用クランプカバー。
【請求項４】
前記スライド部材は、回り止め用の角柱状の軸部を有し、
一方の前記鍔片は、前記スライド部材の軸部がスライド自在に嵌合する角穴を両側面に開口している請求項１から３のいずかに記載の電線用クランプカバー。
【請求項５】
前記スライド部材は、一方の前記鍔片の両側面に当接するフランジ部を頭部に有する請求項１から４のいずれかに記載の電線用クランプカバー。
【発明の詳細な説明】
【技術分野】
【０００１】
本発明は、電線用クランプカバーに関する。特に、耐張碍子を介して、電線を電柱などに引き留める引留クランプを絶縁状態で覆う電線用クランプカバーの構造に関する。
【背景技術】
【０００２】
一般に、電線は、地上に立設された電柱に架設されている。電線を電柱に架設する場合、電線の被覆の一部を剥離し、この剥離部位を引留クランプでクランプすると共に、耐張碍子を介して、引留クランプを電柱に引き留めている。
【０００３】
上述した引留クランプは、複数の金属製の部材で構成され、充電された状態で露出しておくと危険である。したがって、引留クランプは、一般に、半分割状態に形成された開閉可能なクランプカバーを用いて、絶縁状態で覆っている。
【０００４】
ところで、上述したクランプカバーは、高所に配置されているため、絶縁操作棒を用いて、クランプカバーを閉じる作業が容易でなかった。又、従来のクランプカバーは、開口部に隙間ができ易く、特に、電線出口部では、電線が風力の影響で揺動し易く、電線出口部の隙間から鳥又は蛇などが進入して、地絡の原因になる心配があった。
【０００５】
このような不具合を解消するため、取り付け作業性が良好であり、開口部に隙間が生じにくい電線用クランプカバーが開示されている（例えば、特許文献１参照）。
【０００６】
又、耐張碍子の内部に容易に挿入でき、絶縁操作棒で操作が容易な電線用クランプカバーが開示されている（例えば、特許文献２参照）。
【先行技術文献】
【特許文献】
【０００７】
【特許文献１】特開２００７−３１２５７４号公報
【特許文献２】特開２０１３−２５２００４号公報
【発明の概要】
【発明が解決しようとする課題】
【０００８】
図１０は、特許文献１による電線用クランプカバーの正面図である。図１１は、特許文献１による電線用クランプカバーの正面図であり、一方のカバー本体を開いた状態図である。本願の図１０は、特許文献１の図１に相当し、本願の図１１は、特許文献１の図２に相当している。
【０００９】
図１０又は図１１を参照すると、特許文献１による電線用クランプカバー（以下、クランプカバーと略称する）７は、半分割状態に形成された一対のカバー本体７１・７１で構成している。一対のカバー本体７１・７１は、開閉自在に連結したヒンジ部７２ｈを一方の端部に有している。一対のカバー本体７１・７１の他方の端部を閉じることで、くさび型の引留クランプ８を絶縁状態で覆うことができる。
【００１０】
図１０又は図１１を参照すると、引留クランプ８は、耐張碍子Ｓｉを介して、図示しない電柱に引き留められている。引留クランプ８は、クランプ本体８１、三角体状のくさび体８２、及び押え金具８３で構成している。クランプ本体８１は、くさび体８２とスライド可能に連結している。又、クランプ本体８１は、耐張碍子Ｓｉと回動可能に連結する円環部８１ａを一端部に有し、受け部８１ｂを他端部に有している。受け部８１ｂには、電線Ｗの被覆Ｗｉが部分的に剥離された剥離部Ｗｅと共に、くさび体８２の端部が押し込まれている。
【００１１】
図１１を参照すると、くさび体８２の斜面には、剥離部Ｗｅの外周を受ける円弧状の溝を形成している。そして、くさび体８２と押え金具８３とがボルトで締結され、電線Ｗの剥離部Ｗｅを挟持（クランプ）している。このように構成された引留クランプ８は、絶縁性を有するクランプカバー７で覆われている（図１０参照）。
【００１２】
図１０又は図１１を参照すると、一対のカバー本体７１・７１は、一組の施錠片７３ａ・７３ａを他方の端部に突出している。分割された施錠片７３ａをロックすることによって、一対のカバー本体７１・７１を袋状に閉じることができる。又、一対のカバー本体７１・７１は、一組の把持片７３ｂ・７３ｂを他方の端部に突出している。先端部に把持工具を有する絶縁操作棒（図示せず）を用いて、把持片７３ｂを把持することで、クランプカバー７を高所に移動できる。
【００１３】
図１０又は図１１を参照すると、一対のカバー本体７１・７１は、引留クランプ８の大部分を覆う三角体状のカバー本体部７０と、カバー本体部７０の第１隅部から突出した電線入口筒部７３と、カバー本体部７０の第２隅部から突出した電線出口筒部７４と、カバー本体部７０の第３隅部から突出した碍子連結部７５と、を有している。
【００１４】
図１０又は図１１を参照すると、カバー本体部７０は、電線入口筒部７３から電線Ｗを引き込むことができる。又、カバー本体部７０は、電線出口筒部７４から電線Ｗを引き出すことができる。更に、碍子連結部７５は、耐張碍子Ｓｉの端部に設けた連結部材Ｓｊを覆うことができる。そして、電線出口筒部７４とカバー本体部７０の間には、伸縮自在な可撓性を有する蛇腹部７４ａを介設している。
【００１５】
図１０又は図１１を参照すると、電線出口筒部７４とカバー本体部７０の間に蛇腹部７４ａを介設することで、カバー本体部７０に対して、電線出口筒部７４から延出する電線Ｗを揺動自在に保持することができる。又、碍子連結部７５は、膨出部７５ａを基端部に形成している。膨出部７５ａは、円環部８１ａと耐張碍子Ｓｉの連結部材Ｓｊを連結する連結ピン８１ｐを覆うために、外方に向けて膨出している。
【００１６】
特許文献１によるクランプカバー７は、電線出口筒部７４とカバー本体部７０を伸縮自在な可撓性を有する蛇腹部７４ａで接続しているので、引留クランプ８から引き出される電線Ｗの状態に応じて、電線出口筒部７４を自在に対応できる、としている。
【００１７】
図１２は、特許文献２による電線用クランプカバーの正面図である。図１３は、図１２の部分断面図であり、図１３（Ａ）は、図１２のＡ−Ａ矢視図、図１３（Ｂ）は、図１２のＢ−Ｂ矢視図、図１３（Ｃ）は、図１２のＣ−Ｃ矢視図である。本願の図１２は、特許文献２の図１に相当し、本願の図１３は、特許文献２の図５に相当している。
【００１８】
図１２を参照すると、特許文献２による電線用クランプカバー（以下、クランプカバーと略称する）６は、カバー部分体６１とカバー本体６２を備えている。カバー部分体６１は、引留クランプ８と耐張碍子Ｓｉとの接続部８０を挟むように覆うことができる。カバー本体６２は、引留クランプ８を挟むように覆うことができる。
【００１９】
図１２を参照すると、カバー部分体６１は、接続部８０を覆う膨出部６１１、耐張碍子Ｓｉに設けた凹部Ｓａに進入可能な突出部６１２、及び輪帯状の溝部６１３を有している。膨出部６１１は、カバー部分体６１の中央部に形成されている。突出部６１２は、カバー部分体６１の一方の端部に突出している。溝部６１３は、カバー部分体６１の他方の端部の外壁に形成している。
【００２０】
図１２を参照すると、カバー本体６２は、溝部６１３に着脱自在に嵌合する係止部となる接続開口６２３を外壁の一部に設けている。実体として、接続開口６２３は、溝部６１３をその両側から挟持する半円弧状の切り欠きである。一対の第２分割体６２ｄ・６２ｄを閉じると（図１３（Ｂ）、又は図１３（Ｃ）参照）、半円弧状の切り欠きの端縁が溝部６１３の底面に当接できる。
【００２１】
図１２を参照すると、カバー部分体６１は、半分割状態に形成された一対の第１分割体６１ｄ・６１ｄで構成している。これらの第１分割体６１ｄ・６１ｄは、屈曲自在に連結したヒンジ部６１ｈを一方の端部に有している（図１３（Ａ）参照）。一対の第１分割体６１ｄ・６１ｄの他方の端部を閉じることで、引留クランプ８と耐張碍子Ｓｉとの接続部８０を絶縁状態で覆うことができる。
【００２２】
図１２又は図１３を参照すると、カバー部分体６１は、一対の第１分割体６１ｄ・６１ｄの他方の端部から突出した第１接続片６４ａ・６４ｂを有している。第１接続片６４ａは、突起６４ｔを有している（図１３（Ａ）参照）。一方、第１接続片６４ｂは、突起６４ｔに嵌合する係止穴を開口している。先端部に把持工具を有する絶縁操作棒（図示せず）を用いて、一対の第１接続片６４ａ・６４ｂを把持することで、一対の第１接続片６４ａ・６４ｂをロック（係止）できる。
【００２３】
図１３（Ａ）を参照すると、一方の第１接続片６４ａは、他方の第１接続片６４ｂより長く突出している。一対の開閉する把持腕９ａ・９ｂを先端部に有する絶縁操作棒（図示せず）を用いて、第１接続片６４ａを把持することで、一対の第１分割体６１ｄ・６１ｄが開いた状態で、カバー部分体６１を高所に移動できる。
【００２４】
図１２又は図１３を参照すると、カバー本体６２は、半分割状態に形成された一対の第２分割体６２ｄ・６２ｄで構成している。これらの第２分割体６２ｄ・６２ｄは、屈曲自在に連結したヒンジ部６２ｈを一方の端部に有している（図１３（Ｂ）、又は図１３（Ｃ）参照）。一対の第２分割体６２ｄ・６２ｄの他方の端部を閉じることで、くさび型の引留クランプ８を絶縁状態で覆うことができる。
【００２５】
図１２又は図１３を参照すると、一対の第２分割体６２ｄ・６２ｄは、引留クランプ８の大部分を覆う三角体状のカバー本体部６２０と、カバー本体部６２０の第１隅部から突出した電線入口筒部６２１と、カバー本体部６２０の第２隅部から突出した電線出口筒部６２２と、カバー本体部６２０の第３隅部に設けた接続開口６２３と、を有している。
【００２６】
図１２又は図１３（Ｂ）を参照すると、カバー本体６２は、一対の第２分割体６２ｄ・６２ｄの他方の端部から突出した一組の第２接続片６５ａ・６５ｂを有している。第２接続片６５ａは、突起６５ｔを有している（図１３（Ｂ）参照）。一方、第２接続片６５ｂは、突起６５ｔに嵌合する係止穴を開口している。一対の開閉する把持腕９ａ・９ｂを先端部に有する絶縁操作棒（図示せず）を用いて（図１３（Ａ）参照）、一対の第２接続片６５ａ・６５ｂを把持することで、一対の第２接続片６５ａ・６５ｂをロック（係止）できる。
【００２７】
図１３（Ｂ）を参照すると、一方の第２接続片６５ａは、他方の第２接続片６５ｂより長く突出している。一対の開閉する把持腕９ａ・９ｂを先端部に有する絶縁操作棒（図示せず）を用いて、第２接続片６５ａを把持することで、一対の第２分割体６２ｄ・６２ｄが開いた状態で、カバー本体６２を高所に移動できる。
【００２８】
しかしながら、特許文献１によるクランプカバー７、又は特許文献２によるクランプカバー６は、一対の開閉する把持腕を先端部に有する絶縁操作棒を用いて、カバー本体の他端部側を係合することは容易であるが、この係合を解除することが容易でないという問題がある。このため、図１０を参照すると、先端部に把持工具を有する絶縁操作棒（図示せず）を用いて、把持片７３ｂを把持しながら、フック状の先端工具（いわゆる、バインド打ち器）を電線入口筒部７３から挿入し、バインド打ち器を捻ることで、施錠片７３ａのロックを解除していた。
【００２９】
しかし、上述した間接活線工事は、以下の問題がある。すなわち、（１）先端部に把持工具を有する絶縁操作棒（いわゆる、絶縁ヤットコ）とは別に、バインド打ち器を先端部に有する絶縁操作棒を用意する必要がある。（２）バインド打ち器を電線入口筒部から挿入して、捻ることでカバー本体を変形又は破損させる心配がある。
【００３０】
以上のことから、複数の絶縁操作棒を用いることなく、一対の開閉自在なクランプカバーの係合状態を容易に、かつ良好に解除できる電線用クランプカバーが求められていた。そして、以上のことが本発明の課題といってよい。
【００３１】
本発明は、このような課題に鑑みてなされたものであり、複数の絶縁操作棒を用いることなく、一対の開閉自在なクランプカバーの係合状態を容易に、かつ良好に解除できる電線用クランプカバーを提供することを目的とする。
【課題を解決するための手段】
【００３２】
本発明者は、屈曲自在なヒンジ部を一端部側に有し、他端部側を開閉自在に構成した一対の絶縁ケースで電線用クランプカバーを構成し、これらの絶縁ケースには、対向面が互いに当接できる鍔片をヒンジ部と反対側に設け、一方の鍔片には、他方の鍔片に向けて進出すると先端部が膨張して他方の鍔片に係合するラッチ手段と、ラッチ手段の軸方向に向かって進退自在に保持された一対のスライド部材と、を設け、一対の開閉する把持腕を先端部に有する絶縁操作棒を用いて、一対のスライド部材が互いに近づく方向に移動すると、ラッチ手段を後退させて他方の鍔片との係合を解除させることで、複数の絶縁操作棒を用いることなく、一対の開閉自在なクランプカバーの係合状態を容易に、かつ良好に解除できることを見出し、これに基づいて、以下のような新たな電線用クランプカバーを発明するに至った。
【００３３】
（１）本発明による電線用クランプカバーは、電線を導入する導入筒部、及び前記電線を導出する導出筒部を少なくとも有し、前記電線をクランプする引留クランプを覆う電線用クランプカバーであって、屈曲自在なヒンジ部を一端部側に有し、他端部側を開閉自在に構成した一対の絶縁ケースを備え、これらの前記絶縁ケースは、所定の厚さを設けて前記ヒンジ部と反対側に突出し、対向面が互いに当接できる鍔片を有し、一方の前記鍔片は、他方の前記鍔片に向けて進出すると先端部が膨張すると共に、他方の前記鍔片から後退すると先端部が収縮するラッチ手段と、前記ラッチ手段の軸方向に向かって略直交する方向に進退自在に保持された一対のスライド部材と、を有し、他方の前記鍔片は、前記ラッチ手段の先端部が出入り自在に開口され、当該ラッチ手段の先端部が膨張した状態でラッチ手段と係合する貫通穴を有し、一対の開閉する把持腕を先端部に有する絶縁操作棒を用いて、一対の前記スライド部材が互いに近づく方向に移動させると、前記ラッチ手段を後退させて前記貫通穴との係合を解除させる。
【００３４】
（２）前記ラッチ手段は、一方の前記鍔片の中央部に開口した凹部に回転自在に保持されると共に、一方の前記鍔片に対して軸方向に進退自在に配置されたプランジャーと、前記凹部の内部に鍔部が保持される共に、前記プランジャーの軸部と嵌合する嵌合穴を有し、プランジャーを前記鍔部に向かって進出すると、胴部の外周が拡径するすり割り付きのグロメットと、を含み、前記プランジャーは、その頭部に形成され、前記軸部に向かって縮径した円錐台状のノブを有し、前記プランジャーを前記鍔部に向かって進出すると、一対の前記スライド部材が離反する方向に移動し、一対の開閉する把持腕を先端部に有する絶縁操作棒を用いて、一対の前記スライド部材が互いに近づく方向に移動すると、前記プランジャーを前記鍔部から移動させて、前記貫通穴との係合を解除可能に前記グロメットの胴部を縮径させることが好ましい。
【００３５】
（３）前記グロメットは、前記鍔部と前記胴部の間の首部が前記凹部の底部に遊嵌自在に保持されていることが好ましい。
【００３６】
（４）前記スライド部材は、一方の前記鍔片からの脱落を防止するランスを先端部側に有することが好ましい。
【００３７】
（５）前記スライド部材は、回り止め用の角柱状の軸部を有し、一方の前記鍔片は、前記スライド部材の軸部がスライド自在に嵌合する角穴を両側面に開口していることが好ましい。
【００３８】
（６）前記スライド部材は、一方の前記鍔片の両側面に当接するフランジ部を頭部に有することが好ましい。
【発明の効果】
【００３９】
本発明による電線用クランプカバーは、一対の開閉する把持腕を先端部に有する絶縁操作棒を用いて、一対の鍔片を挟持することで、一方の鍔片に設けたラッチ手段を他方の鍔片に係合でき、前記絶縁操作棒を用いて、一対のスライド部材を挟持することで、ラッチ手段を他方の鍔片から容易にかつ良好に解除できる。
【図面の簡単な説明】
【００４０】
【図１】本発明の一実施形態による電線用クランプカバーの構成を示す正面図である。
【図２】前記実施形態による電線用クランプカバーの構成を示す正面図であり、一方の絶縁ケースを開いた状態図である。
【図３】前記実施形態による電線用クランプカバーの構成を示す右側面図であり、一対の絶縁ケースを閉じた状態図である。
【図４】前記実施形態による電線用クランプカバーの要部の構成を示す斜視分解組立図である。
【図５】前記実施形態による電線用クランプカバーの要部の構成を示す斜視分解組立図であり、図４と異なる方向から電線用クランプカバーの要部を観ている。
【図６】前記実施形態による電線用クランプカバーの要部の構成を示す図であり、図６（Ａ）は、図１のＡ−Ａ矢視断面図、図６（Ｂ）は、図６（Ａ）の右側面図、図６（Ｃ）は、図６（Ａ）の左側面図であり、一対のスライド部材が離反した状態図である。
【図７】前記実施形態による電線用クランプカバーの要部の構成を示す図であり、図７（Ａ）は、図１のＡ−Ａ矢視断面図、図７（Ｂ）は、図７（Ａ）の右側面図、図７（Ｃ）は、図７（Ａ）の左側面図であり、一対のスライド部材が近づいた状態図である。
【図８】前記実施形態による電線用クランプカバーを操作する間接活線工事用絶縁操作棒の一例の構成を示す正面図である。
【図９】図８に示した間接活線工事用絶縁操作棒の先端部を拡大した正面図である。
【図１０】従来技術による電線用クランプカバーの正面図である。
【図１１】従来技術による電線用クランプカバーの正面図であり、一方のカバー本体を開いた状態図である。
【図１２】他の従来技術による電線用クランプカバーの正面図である。
【図１３】図１２の部分断面図であり、図１３（Ａ）は、図１２のＡ−Ａ矢視図、図１３（Ｂ）は、図１２のＢ−Ｂ矢視図、図１３（Ｃ）は、図１２のＣ−Ｃ矢視図である。
【発明を実施するための形態】
【００４１】
以下、図面を参照して本発明を実施するための形態を説明する。
［電線用クランプカバーの構成］
最初に、本発明の一実施形態による電線用クランプカバーの構成を説明する。
【００４２】
図１は、本発明の一実施形態による電線用クランプカバーの構成を示す正面図である。図２は、前記実施形態による電線用クランプカバーの構成を示す正面図であり、一方の絶縁ケースを開いた状態図である。図３は、前記実施形態による電線用クランプカバーの構成を示す右側面図であり、一対の絶縁ケースを閉じた状態図である。なお、従来技術で使用した符号と同じ符号は、その作用を同一にするので、以下の説明では割愛することがある。
【００４３】
（全体構成）
図１から図３を参照すると、本発明の一実施形態による電線用クランプカバー（以下、クランプカバーと略称する）１００は、半分割状態に形成された一対の絶縁ケース１１・１１で構成している。一対の絶縁ケース１１・１１は、一端部側をヒンジ部１２ｈで屈曲自在に連結し、他端部側を開閉自在に構成している。一対の絶縁ケース１１・１１の他端部側を閉じることで、くさび型の引留クランプ８を一対の絶縁ケース１１・１１で覆うことができる。
【００４４】
図１から図３を参照すると、一対の絶縁ケース１１・１１は、三角体状のカバー本体部１０と導入筒部１３を備えている。カバー本体部１０は、引留クランプ８の大部分を覆っている。導入筒部１３は、カバー本体部１０の第１隅部から突出している。又、一対の絶縁ケース１１・１１は、導出筒部１４と碍子連結部１５を備えている。導出筒部１４は、カバー本体部１０の第２隅部から突出している。碍子連結部１５は、カバー本体部１０の第３隅部から突出している。
【００４５】
図１から図３を参照すると、カバー本体部１０は、導入筒部１３から電線Ｗを導入できる。又、カバー本体部１０は、導出筒部１４から電線Ｗを導出できる。更に、碍子連結部１５は、耐張碍子Ｓｉの端部に設けた連結部材Ｓｊを覆うことができる。そして、導出筒部１４とカバー本体部１０の間には、伸縮自在な可撓性を有する蛇腹部１４ａを介設している。
【００４６】
図１又は図２を参照すると、導出筒部１４とカバー本体部１０の間に蛇腹部１４ａを介設することで、カバー本体部１０に対して、導出筒部１４から延出する電線Ｗを揺動自在に保持できる。又、碍子連結部１５は、膨出部１５ａを基端部に形成している。膨出部１５ａは、円環部８１ａと耐張碍子Ｓｉの連結部材Ｓｊを連結する連結ピン９１ｐを覆うために、外方に向けて膨出している。
【００４７】
図１から図３を参照すると、一対の絶縁ケース１１・１１は、一組の把持片１６ａ・１６ｂをヒンジ部１２ｈと反対側に突出している。一方の把持片１６ａは、一方の絶縁ケース１１の他端部側に突出している。他方の把持片１６ｂは、他方の絶縁ケース１１の他端部側に突出している。一対の開閉する把持腕９ａ・９ｂを先端部に有する絶縁操作棒９を用いて（図８参照）、把持片１６ａ又は把持片１６ｂを把持することで、クランプカバー１００を高所に移動できる。
【００４８】
引き続き、実施形態によるクランプカバー１００の構成を説明する。図４は、前記実施形態による電線用クランプカバーの要部の構成を示す斜視分解組立図である。図５は、前記実施形態による電線用クランプカバーの要部の構成を示す斜視分解組立図であり、図４と異なる方向から電線用クランプカバーの要部を観ている。
【００４９】
図６は、前記実施形態による電線用クランプカバーの要部の構成を示す図であり、図６（Ａ）は、図１のＡ−Ａ矢視断面図、図６（Ｂ）は、図６（Ａ）の右側面図、図６（Ｃ）は、図６（Ａ）の左側面図であり、一対のスライド部材が離反した状態図である。
【００５０】
図７は、前記実施形態による電線用クランプカバーの要部の構成を示す図であり、図７（Ａ）は、図１のＡ−Ａ矢視断面図、図７（Ｂ）は、図７（Ａ）の右側面図、図７（Ｃ）は、図７（Ａ）の左側面図であり、一対のスライド部材が近づいた状態図である。
【００５１】
図１から図７を参照すると、一対の絶縁ケース１１・１１は、所定の厚さを設けてヒンジ部１２ｈと反対側に突出した鍔片１７ａ・１７ｂを備えている。一方の絶縁ケース１１は、一方の鍔片１７ａを他端部側に突出している。他方の絶縁ケース１１は、他方の鍔片１７ｂを他端部側に突出している。一対の絶縁ケース１１・１１を閉じることで、鍔片１７ａ・１７ｂの対向面１７０・１７０を互いに当接できる（図５又は図６参照）。
【００５２】
（一方の鍔片の構成）
図４から図７を参照すると、一方の鍔片１７ａは、ラッチ手段２と一対のスライド部材３１・３２を備えている。ラッチ手段２は、他方の鍔片１７ｂに向けて進出すると先端部を膨張できる。又、ラッチ手段２は、他方の鍔片１７ｂから後退すると先端部を収縮できる。一対のスライド部材３１・３２は、ラッチ手段２の軸方向に向かって略直交する方向に進退自在に保持されている。
【００５３】
（他方の鍔片の構成）
図４から図７を参照すると、他方の鍔片１７ｂは、ラッチ手段２の先端部が出入り自在に開口された貫通穴１７２を有している。貫通穴１７２には、ラッチ手段２の先端部が膨張した状態でラッチ手段２と係合できる（図６（Ａ）参照）。
【００５４】
（ラッチ手段の構成）
図４から図７を参照すると、ラッチ手段２は、プランジャー２１とすり割り付きのグロメット２２を含んでいる。ラッチ手段２としては、合成樹脂製のパネルファスナである市販の「ナイラッチ（商品名）」を応用できる。プランジャー２１は、一方の鍔片１７ａの中央部に開口した凹部１７１に回転自在に保持されている。又、プランジャー２１は、一方の鍔片１７ａに対して軸方向に進退自在に配置されている。
【００５５】
図４から図７を参照すると、グロメット２２は、鍔部２２ｆと円筒状の胴部２２ｂを有している。又、グロメット２２は、嵌合穴２２ｈを中心部に開口している。グロメット２２は、凹部１７１の内部に鍔部２２ｆが保持されている。嵌合穴２２ｈには、プランジャー２１の軸部２１ｓが嵌合している。プランジャー２１を鍔部２２ｆに向かって進出すると、胴部２２ｂの外周を拡径できる（図６（Ａ）参照）。プランジャー２１を鍔部２２ｆから後退すると、胴部２２ｂの外周を縮径できる（図７（Ａ）参照）。
【００５６】
図４から図７を参照すると、グロメット２２は、鍔部２２ｆと胴部２２ｂの間に縮径された首部２２ｎを有している。胴部２２ｂを先頭にして、グロメット２２を凹部１７１に圧入すると、凹部１７１の底部に首部２２ｎを遊嵌自在に保持できる（図６（Ａ）又は図７（Ａ）参照）。
【００５７】
図４から図７を参照すると、プランジャー２１は、円錐台状のノブ２１ｎを頭部に形成している。ノブ２１ｎは、軸部２２ｓに向かって縮径している。そして、一対のスライド部材３１・３２の先端部は、ノブ２１ｎの傾斜面２１０に当接している（図６（Ａ）又は図７（Ａ）参照）。
【００５８】
（一対のスライド部材の構成）
図４又は図５を参照すると、一対のスライド部材３１・３２は、四角柱状の軸部３ｓと頭部に形成された円板状のフランジ部３ｆで構成している。軸部３ｓの先端側には、ランス３ｒを形成している。一方の鍔片１７ａは、スライド部材３１・３２の軸部３ｓがスライド自在に嵌合する四角形の角穴１７ｈを一方の鍔片１７ａの両側面に開口している。軸部３ｓが角穴１７ｈに嵌合することで、スライド部材３１・３２が回り止めされる。フランジ部３ｆが一方の鍔片１７ａの側面に当接することで、スライド部材３１・３２の移動距離が規定される。
【００５９】
図４から図６を参照して、スライド部材３１・３２の軸部３ｓを角穴１７ｈに圧入すると、ランス３ｒが凹部１７１の内壁に係止することで、スライド部材３１・３２が一方の鍔片１７ａから脱落することを防止できる。
【００６０】
図６又は図７を参照すると、一対のスライド部材３１・３２は、ノブ２１ｎの軸方向に向かって略直交する方向に進退自在に保持されている。一対のスライド部材３１・３２は、対向するように配置されていると共に、一対の軸部２２ｓの先端縁は、ノブ２１ｎの傾斜面２１０に当接している（図６（Ａ）又は図７（Ａ）参照）。
【００６１】
図７（Ａ）に示した状態から、ノブ２１ｎを鍔部２２ｆに向かって進出すると、一対のスライド部材３１・３２を離反する方向に移動できる（図６（Ａ）参照）。そして、グロメット２２を貫通穴１７２に係合できる。一方、図６（Ａ）に示した状態から、一対の開閉する把持腕９ａ・９ｂを先端部に有する絶縁操作棒９を用いて（図８参照）、一対のスライド部材３１・３２が互いに近づく方向に移動すると、ノブ２１ｎを鍔部２２ｆから移動できる（図７（Ａ）参照）。そして、グロメット２２と貫通穴１７２との係合を解除できる。
【００６２】
（絶縁操作棒の構成）
次に、クランプカバー１００を操作するための間接活線工事用絶縁操作棒の一例の構成を説明する。図８は、前記実施形態による電線用クランプカバーを操作する間接活線工事用絶縁操作棒の一例の構成を示す正面図である。図９は、図８に示した間接活線工事用絶縁操作棒の先端部を拡大した正面図である。
【００６３】
図８又は図９を参照すると、間接活線工事用絶縁操作棒（以下、絶縁操作棒という）９は、長尺の操作棒９１と把持工具９２で構成している。又、絶縁操作棒９は、作動棒９３を備えている。把持工具９２は、操作棒９１の先端部に取り付けられている。
【００６４】
図８又は図９を参照すると、把持工具９２は、開閉する一対の湾曲した把持腕９ａ・９ｂで構成している。そして、一方の把持腕９ａは、基端部が固定された固定腕であり、他方の把持腕９ｂは、一方の把持腕９ａの基端部に設けた回動軸９ｃを中心に回動する可動腕となっている。
【００６５】
図８を参照すると、操作棒９１は、その手許部に操作レバー９４を配置している。作動棒９３は、操作棒９１に沿って配置されている。作動棒９３の先端部は、他方の把持腕９ｂに回動自在に連結している。一方、作動棒９３の基端部は、操作レバー９４を連結している。
【００６６】
図８を参照して、操作レバー９４を操作すると、一方の把持腕９ａに対して、他方の把持腕９ｂを開閉できる。絶縁操作棒９は、操作棒９１及び作動棒９３の中間部が絶縁性を有するプラスチックパイプなどで構成され、間接活線工法に好適なように、絶縁性を確保している。
【００６７】
図８を参照して、操作レバー９４を握って、操作レバー９４を操作棒９１に近づけると、一方の把持腕９ａに対して、他方の把持腕９ｂを閉じることができる。操作レバー９４を解放すると、操作レバー９４に連結したばね（図示せず）の力で、一方の把持腕９ａに対して、他方の把持腕９ｂを開くことができる。図８又は図９は、一方の把持腕９ａに対して、他方の把持腕９ｂが最大に開いた状態を示している。
【００６８】
図８又は図９を参照して、一方の把持腕９ａは、先細り状の把持爪９１ａを突出している。把持爪９１ａは、把持面９０ａを形成している。把持面９０ａは、回動軸９ｃの回転中心から遠心方向に沿って略平行に形成されている。同様に、他方の把持腕９ｂは、先細り状の把持爪９１ｂを突出している。把持爪９１ｂは、把持面９０ｂを形成している。把持面９０ｂは、把持面９０ａと所定の開角を設けて配置されている。図８又は図９を参照して、操作レバー９４を握ると、把持面９０ｂを把持面９０ａに近づけることができる。
【００６９】
図８又は図９に示した絶縁操作棒９は、高所に配置された高圧配電線などを一対の把持爪９１ａ・９１ｂで把持できる、いわゆる「絶縁ヤットコ」になっている。そして、絶縁操作棒９を用いて、クランプカバー１００を操作できる。
【００７０】
［電線用クランプカバーの作用］
次に、実施形態によるクランプカバー１００の操作方法を説明しながら、クランプカバー１００の作用及び効果を説明する。
【００７１】
最初に、図２又は図８を参照して、絶縁操作棒９を用いて、把持片１６ｂを把持し、一対の絶縁ケース１１・１１が開いた状態で、クランプカバー１００を引留クランプ８に移動し、他方の絶縁ケース１１に引留クランプ８を収容する。次に、別の絶縁操作棒９を用いて、把持片１６ｂを把持し（図１参照）、一対の絶縁ケース１１・１１を一旦閉じて、一対の鍔片１７ａ・１７ｂの対向面１７０・１７０を互いに当接する（図５又は図６参照）。
【００７２】
次に、図７に示すように、グロメット２２が貫通穴１７２に挿入された状態で、絶縁操作棒９を用いて、一対の鍔片１７ａ・１７ｂを外側から挟持すると、ノブ２１ｎを鍔部２２ｆに向かって進出できる。そして、グロメット２２が拡径することで、グロメット２２を貫通穴１７２に係合でき、クランプカバー１００の閉止作業を完了する。
【００７３】
次に、一対の絶縁ケース１１・１１を開く操作を説明する。図１又は図６に示したクランプカバー１００の閉止状態では、スライド部材３１・３２のフランジ部３ｆは、一方の鍔片１７ａの両側面から突出している。絶縁操作棒９を用いて、図１又は図６に示したから、一対のフランジ部３ｆ・３ｆを挟持すると、スライド部材３１・３２の先端部がノブ２１ｎの傾斜面２１０を押圧することで（図４又は図５参照）、ノブ２１ｎを鍔部２２ｆから移動できる（図７（Ａ）参照）。そして、グロメット２２が縮径することで、グロメット２２と貫通穴１７２との係合を解除できる。
【００７４】
図１又は図６、及び図８又は図９を参照すると、実施形態によるクランプカバー１００は、一対の開閉する把持腕９ａ・９ｂを先端部に有する絶縁操作棒９を用いて、一対のスライド部材３１・３２を挟持することで、ラッチ手段２を他方の鍔片１７ｂから容易にかつ良好に解除できる。実施形態によるクランプカバー１００は、複数の絶縁操作棒を用いることなく、一対の開閉自在なクランプカバー１００の係合状態を容易に、かつ良好に解除できる。
【００７５】
本発明による電線用クランプカバーは、次のような効果が期待される。
（ア）バインド打ち器を電線入口筒部から挿入して、捻ることでクランプカバーを変形又は破損させる心配がなくなる。
（イ）複数の絶縁操作棒を用いることなく、一対の開閉自在なクランプカバーの係合状態を容易に、かつ良好に解除できる。
（ウ）絶縁操作棒を用いて、一対の絶縁ケースを確実にかつ容易に閉止できる。
【００７６】
本発明による電線用クランプカバーは、絶縁操作棒を用いた間接活線作業に好適な実施形態を開示したが、絶縁手袋を用いた直接活線作業にも適用できる。本発明による電線用クランプカバーは、間接活線作業が効率化され、作業時間の短縮が期待できる。
【符号の説明】
【００７７】
２  ラッチ手段
８  引留クランプ
９  絶縁操作棒
９ａ・９ｂ  一対の把持腕
１１・１１  一対の絶縁ケース
１２ｈ  ヒンジ部
１３  導入筒部
１４  導出筒部
１７ａ・１７ｂ  一対の鍔片
３１・３２  一対のスライド部材
１００  クランプカバー（電線用クランプカバー）
１７２  貫通穴
Ｗ  電線
【図１】
0005968935.tif 000002
【図２】
0005968935.tif 000003
【図３】
0005968935.tif 000004
【図４】
0005968935.tif 000005
【図５】
0005968935.tif 000006
【図６】
0005968935.tif 000007
【図７】
0005968935.tif 000008
【図８】
0005968935.tif 000009
【図９】
0005968935.tif 000010
【図１０】
0005968935.tif 000011
【図１１】
0005968935.tif 000012
【図１２】
0005968935.tif 000013
【図１３】
0005968935.tif 000014